(57)【要約】液晶表示装置の取り付け構造であって、背面板（２１）の第一側板（２１３）には外部へ突出する第一連結部（２１５）が設けられ、第一側板（２１３）には第一連結部（２１５）と対応する挿入空間が形成され；前フレーム（８）の第二側板（８３）には第一連結部（２１５）と対向しかつ内部へ窪まる第二連結部（８５）が形成され、第二側板（８３）には第二連結部（８５）と対向する通路（８７）が形成され；第二連結部（８５）は前記挿入空間に挿入されるとともに第一連結部（２１５）と当接し、前記第一連結部（２１５）は前記通路（８７）に収納され；前記第一連結部（２１５）には貫通孔（２１６）が形成されており、前記第二連結部（８５）には前記貫通孔（２１６）と対応するネジ孔（８５１）が形成され、ボルト（１０）が前記貫通孔（２１６）を通してネジ孔（８５１）内に螺接することにより、第二側板（８３）が第一側板（２１３）上に固定、取り付けられる。
2017510838.tif 000002
【特許請求の範囲】
【請求項１】
液晶表示装置の取り付け構造であって、バックライトモジュール、バックライトモジュール内に取り付けられるゴムフレーム、ゴムフレーム上に設けられる液晶表示パネル及び液晶表示パネル上に設けられる前フレームを含み；前記バックライトモジュールは、背面板と、背面板内に設けられる導光板と、前記背面板内に設けられるバックライトとを含み；前記背面板は底板と底板の側辺に位置する第一側板とを含み、前記バックライトは前記第一側板の内側に取り付けられ；前記前フレームは前板と前板の側辺に位置する第二側板とを含み；前記第二側板は第一側板上に覆われ；前記第一側板には外部へ突出する第一連結部が設けられ、前記第一側板には前記第一連結部と対応する挿入空間が形成され；前記第二側板には前記第一連結部と対向しかつ内部へ窪まる第二連結部が形成され、前記第二側板には前記第二連結部と対向する通路が形成され；前記第二連結部は前記挿入空間に挿入されるとともに前記第一連結部と当接し、前記第一連結部は前記通路に収納され；前記第一連結部には貫通孔が形成されており、前記第二連結部には前記貫通孔と対応するネジ孔が形成され、ボルトが前記貫通孔を通してネジ孔内に螺接することにより、前記第二側板が前記第一側板上に固定、取り付けられる液晶表示装置の取り付け構造。
【請求項２】
前記第一連結部の貫通孔は階段式貫通孔であり、前記ボルトの頭部は階段式貫通孔内に収納される請求項１に記載の液晶表示装置の取り付け構造。
【請求項３】
前記第一連結部の自由端の高さは前記第一側板の高さより低い請求項２に記載の液晶表示装置の取り付け構造。
【請求項４】
前記第一連結部の外側面は前記第二側板の外側面から突出しておらず、前記第二連結部の内側面は前記第一側板の内側面から突出していない請求項１に記載の液晶表示装置の取り付け構造。
【請求項５】
前記第一連結部の外側面と前記第二側板の外側面とは揃えられ、前記第二連結部の内側面と前記第一側板の内側面とは揃えられる請求項４に記載の液晶表示装置の取り付け構造。
【請求項６】
前記ボルトは十字穴円柱形ボルトであり、その頭部は前記第一連結部の外側面から突出しておらず、その尾部は前記第二連結部の内側面から突出していない請求項２に記載の液晶表示装置の取り付け構造。
【請求項７】
前記前フレームの硬度は前記背面板の硬度より硬い請求項１に記載の液晶表示装置の取り付け構造。
【請求項８】
前記背面板はアルミニウム板で製造され、前記前フレームはＡＢＳプラスチックで製造される請求項７に記載の液晶表示装置の取り付け構造。
【請求項９】
前記ゴムフレームは第一側板上に取り付けられる請求項１に記載の液晶表示装置の取り付け構造。
【請求項１０】
前記バックライトモジュールは、前記底板に向かう前記導光板の一側に設けられる底部反射フィルムと、前記液晶表示パネルに向かう前記導光板の一側に設けられる光学フィルム組とを更に含む請求項１に記載の液晶表示装置の取り付け構造。
【請求項１１】
液晶表示装置の取り付け構造であって、バックライトモジュール、バックライトモジュール内に取り付けられるゴムフレーム、ゴムフレーム上に設けられる液晶表示パネル及び液晶表示パネル上に設けられる前フレームを含み；前記バックライトモジュールは、背面板と、背面板内に設けられる導光板と、前記背面板内に設けられるバックライトとを含み；前記背面板は底板と底板の側辺に位置する第一側板とを含み、前記バックライトは前記第一側板の内側に取り付けられ；前記前フレームは前板と前板の側辺に位置する第二側板とを含み；前記第二側板は第一側板上に覆われ；前記第一側板には外部へ突出する第一連結部が設けられ、前記第一側板には前記第一連結部と対応する挿入空間が形成され；前記第二側板には前記第一連結部と対向しかつ内部へ窪まる第二連結部が形成され、前記第二側板には前記第二連結部と対向する通路が形成され；前記第二連結部は前記挿入空間に挿入されるとともに前記第一連結部と当接し、前記第一連結部は前記通路に収納され；前記第一連結部には貫通孔が形成されており、前記第二連結部には前記貫通孔と対応するネジ孔が形成され、ボルトが前記貫通孔を通してネジ孔内に螺接することにより、前記第二側板が前記第一側板上に固定、取り付けられ；
前記第一連結部の貫通孔は階段式貫通孔であり、前記ボルトの頭部は階段式貫通孔内に収納され；
前記第一連結部の自由端の高さは前記第一側板の高さより低く；
前記第一連結部の外側面は前記第二側板の外側面から突出しておらず、前記第二連結部の内側面は前記第一側板の内側面から突出しておらず；
前記第一連結部の外側面と前記第二側板の外側面とは揃えられ、前記第二連結部の内側面と前記第一側板の内側面とは揃えられ；
前記ボルトは十字穴円柱形ボルトであり、その頭部は前記第一連結部の外側面から突出しておらず、その尾部は前記第二連結部の内側面から突出していない液晶表示装置の取り付け構造。
【請求項１２】
前記前フレームの硬度は前記背面板の硬度より硬い請求項１１に記載の液晶表示装置の取り付け構造。
【請求項１３】
前記背面板はアルミニウム板で製造され、前記前フレームはＡＢＳプラスチックで製造される請求項１２に記載の液晶表示装置の取り付け構造。
【請求項１４】
前記ゴムフレームは第一側板上に取り付けられる請求項１１に記載の液晶表示装置の取り付け構造。
【請求項１５】
前記バックライトモジュールは、前記底板に向かう前記導光板の一側に設けられる底部反射フィルムと、前記液晶表示パネルに向かう前記導光板の一側に設けられる光学フィルム組とを更に含む請求項１１に記載の液晶表示装置の取り付け構造。
【発明の詳細な説明】
【技術分野】
【０００１】
本発明は、液晶表示技術に関し、特に液晶表示装置の取り付け構造に関するものである。
【背景技術】
【０００２】
液晶表示装置（Liquid  Crystal  Display、ＬＣＤ）は、本体が薄く、省エネ性がよく、輻射がないといる利点などを有していることにより、広い分野に応用されている。例えば、携帯電話、携帯情報端末（ＰＤＡ）、デジタルカメラ、パソコンまたはノートブックの表示パネルなどに応用されている。
【０００３】
現在、市販されている液晶表示装置は、大部分がバックライト型液晶表示装置であり、カバー、カバー内に設けられる液晶パネル及びカバー内に設けられるバックライトモジュール（Backlight  module）を含む。光源の入射位置が異なることにより、バックライトモジュールはエッジライト式バックライトモジュールと直下式バックライトモジュールに分けられる。エッジライト式バックライトモジュールは、背面板、バックライト、反射フィルム、導光板、光学フィルム組などを含み、バックライトであるＬＥＤライトバー（Light  bar）は液晶パネルの後部の背面板の辺縁に設けられる。ＬＥＤライトバーの光線は、導光板（Light  Guide  Plate、ＬＧＰ）の一側から導光板内に入射し、反射と拡散によって導光板の出射面から出射した後、光学フィルム組を通過することにより液晶パネルに向かう面光源になる。
【０００４】
液晶表示装置の生産技術の発展に伴って、液晶表示装置は狭額になる傾向にある。従来のエッジライト式バックライトモジュールを具備する液晶表示装置において、狭額の要求を満たすため、部品を取り付け、固定するボルト及びネジの長さを短くする必要がある。図１乃至図３は従来の液晶表示装置の取り付け構造を示す図であり、該構造は、バックライトモジュール１００、バックライトモジュール１００内に設けられるゴムフレーム３００、ゴムフレーム３００上に設けられる液晶表示パネル５００及び液晶表示パネル５００上に設けられる前フレーム７００を含む。
【０００５】
前記バックライトモジュール１００は、背面板１１０と、背面板１１０内に設けられる導光板１３０と、前記背面板１１０上に設けられるバックライト１５０とを含む。
【０００６】
前フレーム７００と導光板１３０との間の距離を縮小するため、前記背面板１１０が放熱板の機能を兼ね備えるようにする。背面板は底板１１１と底板１１１の側辺に位置する第一側板１１３とを含み、バックライト１５０は第一側板１１３の内側に取り付けられる。前フレーム７００は、前板７２０と前板７２０の側辺に位置する第二側板７５０とを含む。前記第二側板７５０は前記第一側板１１３上に覆われている。
【０００７】
前記前フレーム７００の第二側板７５０上には貫通孔７５１が形成されており、前記背面板１１０の第一側板１１３には前記貫通孔７５１と対応するネジ孔１１５が形成されている。ボルト９００が前記貫通孔７５１を通して前記ネジ孔１１５内に螺接することにより、前記前フレーム７００と前記背面板１１０を一体に固定、取り付けることができる。
【０００８】
前記背面板１１０は通常、導熱係数が高いが、硬度が低く、材質が柔らかいアルミニウムまたは銅などの材料で製造されるので、前記ネジ孔１１５とボルト９００のネジが緊密に螺接できず、連結強度が足りず、ネジの潰れが容易に発生し、前記前フレーム７００と前記背面板１１０との間の固定、取り付けに影響を与えるおそれがある。
【発明の概要】
【発明が解決しようとする課題】
【０００９】
本発明の目的は、前フレームと背面板との間の結合を丈夫、確かにすることができ、液晶表示装置の狭額化に影響を与えず、かつ構造が簡単であり、容易に実現できる利点を有している液晶表示装置の取り付け構造を提供することにある。
【課題を解決するための手段】
【００１０】
上述した目的を実現するため、本発明は液晶表示装置の取り付け構造を提供する。この構造は、バックライトモジュール、バックライトモジュール内に取り付けられるゴムフレーム、ゴムフレーム上に設けられる液晶表示パネル及び液晶表示パネル上に設けられる前フレームを含み；前記バックライトモジュールは、背面板と、背面板内に設けられる導光板と、前記背面板内に設けられるバックライトとを含み；前記背面板は底板と底板の側辺に位置する第一側板とを含み、前記バックライトは前記第一側板の内側に取り付けられ；前記前フレームは前板と前板の側辺に位置する第二側板とを含み；前記第二側板は第一側板上に覆われ；前記第一側板には外部へ突出する第一連結部が設けられ、前記第一側板には前記第一連結部と対応する挿入空間が形成され；前記第二側板には前記第一連結部と対向しかつ内部へ窪まる第二連結部が形成され、前記第二側板には前記第二連結部と対向する通路が形成され；前記第二連結部は前記挿入空間に挿入されるとともに前記第一連結部と当接し、前記第一連結部は前記通路に収納され；前記第一連結部には貫通孔が形成されており、前記第二連結部には前記貫通孔と対応するネジ孔が形成され、ボルトが前記貫通孔を通してネジ孔内に螺接することにより、前記第二側板が前記第一側板上に固定、取り付けられる。
【００１１】
前記第一連結部の貫通孔は階段式貫通孔であり、前記ボルトの頭部は階段式貫通孔内に収納される。
【００１２】
前記第一連結部の自由端の高さは前記第一側板の高さより低い。
【００１３】
前記第一連結部の外側面は前記第二側板の外側面から突出しておらず、前記第二連結部の内側面は前記第一側板の内側面から突出していない。
【００１４】
前記第一連結部の外側面と前記第二側板の外側面とは揃えられ、前記第二連結部の内側面と前記第一側板の内側面とは揃えられる。
【００１５】
前記ボルトは十字穴円柱形ボルトであり、その頭部は前記第一連結部の外側面から突出しておらず、その尾部は前記第二連結部の内側面から突出していない。
【００１６】
前記前フレームの硬度は前記背面板の硬度より硬い。
【００１７】
前記背面板はアルミニウム板で製造され、前記前フレームはＡＢＳプラスチックで製造される。
【００１８】
前記ゴムフレームは第一側板上に取り付けられる。
【００１９】
前記バックライトモジュールは、前記底板に向かう前記導光板の一側に設けられる底部反射フィルムと、前記液晶表示パネルに向かう前記導光板の一側に設けられる光学フィルム組とを更に含む。
【００２０】
本発明は他の液晶表示装置の取り付け構造を更に提供する。この構造は、バックライトモジュール、バックライトモジュール内に取り付けられるゴムフレーム、ゴムフレーム上に設けられる液晶表示パネル及び液晶表示パネル上に設けられる前フレームを含み；前記バックライトモジュールは、背面板と、背面板内に設けられる導光板と、前記背面板内に設けられるバックライトとを含み；前記背面板は底板と底板の側辺に位置する第一側板とを含み、前記バックライトは前記第一側板の内側に取り付けられ；前記前フレームは前板と前板の側辺に位置する第二側板とを含み；前記第二側板は第一側板上に覆われ；前記第一側板には外部へ突出する第一連結部が設けられ、前記第一側板には前記第一連結部と対応する挿入空間が形成され；前記第二側板には前記第一連結部と対向しかつ内部へ窪まる第二連結部が形成され、前記第二側板には前記第二連結部と対向する通路が形成され；前記第二連結部は前記挿入空間に挿入されるとともに前記第一連結部と当接し、前記第一連結部は前記通路に収納され；前記第一連結部には貫通孔が形成されており、前記第二連結部には前記貫通孔と対応するネジ孔が形成され、ボルトが前記貫通孔を通してネジ孔内に螺接することにより、前記第二側板が前記第一側板上に固定、取り付けられ；
前記第一連結部の貫通孔は階段式貫通孔であり、前記ボルトの頭部は階段式貫通孔内に収納され；
前記第一連結部の自由端の高さは前記第一側板の高さより低く；
前記第一連結部の外側面は前記第二側板の外側面から突出しておらず、前記第二連結部の内側面は前記第一側板の内側面から突出しておらず；
前記第一連結部の外側面と前記第二側板の外側面とは揃えられ、前記第二連結部の内側面と前記第一側板の内側面とは揃えられ；
前記ボルトは十字穴円柱形ボルトであり、その頭部は前記第一連結部の外側面から突出しておらず、その尾部は前記第二連結部の内側面から突出していない。
【００２１】
前記前フレームの硬度は前記背面板の硬度より硬い。
【００２２】
前記背面板はアルミニウム板で製造され、前記前フレームはＡＢＳプラスチックで製造される。
【００２３】
前記ゴムフレームは第一側板上に取り付けられる。
【００２４】
前記バックライトモジュールは、前記底板に向かう前記導光板の一側に設けられる底部反射フィルムと、前記液晶表示パネルに向かう前記導光板の一側に設けられる光学フィルム組とを更に含む。
【発明の効果】
【００２５】
本発明の効果は次のとおりである。本発明の液晶表示装置の取り付け構造において、背面板の第一側板上には外部へ突出する第一連結部が設けられ、前フレームの第二側板には第一連結部と対向しかつ内部へ窪まる第二連結部が形成され、前記第一連結部は前記第二連結部内に設けられ、バルトで第一連結部と第二連結部を連結することにより、前フレームと背面板とを一体に取り付け、固定することができる。また、他の連結部品が増加しないので、液晶表示装置の狭額化に影響を与えない。また、前フレームの材質の硬度が背面板の材質の硬度より硬いことにより、前フレームと背面板との間の結合を丈夫、確かにすることができ、かつ構造が簡単であり、容易に実現できる利点を有している。
【００２６】
本発明の特徴及び技術的事項をより詳細に理解するため、後述する本発明の明細及び図面を参照することができる。図面は参照及び説明に用いられるが、本発明を限定するものでない。
【図面の簡単な説明】
【００２７】
以下、図面により本発明の具体的な実施形態を詳細に説明すると、本発明の技術的事項及び発明の効果を容易に理解することができる。
【図１】従来の液晶表示装置の取り付け構造を示す斜視分解図である。
【図２】従来の液晶表示装置の取り付け構造を示す斜視組立図である。
【図３】従来の液晶表示装置の取り付け構造を示す縦方向の断面図である。
【図４】本発明の液晶表示装置の取り付け構造を示す斜視分解図である。
【図５】本発明の液晶表示装置の取り付け構造を示す斜視組立図である。
【図６】本発明の液晶表示装置の取り付け構造を示す縦方向の断面図である。
【発明を実施するための形態】
【００２８】
本発明の技術的事項及び発明の効果をより詳細に説明するため、以下本発明の好適な実施例及びその図面により本発明を詳細に説明する。
【００２９】
図４及び図６を参照すると、本発明の液晶表示装置の取り付け構造は、バックライトモジュール２、バックライトモジュール２内に取り付けられるゴムフレーム４、ゴムフレーム４上に設けられる液晶表示パネル６及び液晶表示パネル６上に設けられる前フレーム８を含む。前記バックライトモジュール２は、背面板２１と、背面板２１内に設けられる導光板２３と、前記背面板２１内に設けられるバックライト２５とを含む。
【００３０】
前フレーム８と導光板２３との間の距離を縮小するため、前記背面板２１が放熱板の機能を兼ね備えるようにする。背面板は底板２１１と底板２１１の側辺に位置する第一側板２１３とを含み、前記バックライト２５０は第一側板２１３の内側に取り付けられる。前記第一側板２１３には外部へ突出する第一連結部２１５が設けられ、前記第一側板２１３には前記第一連結部２１５と対応する挿入空間が形成されている。前記第一連結部２１５の自由端の高さは前記第一側板２１３の高さより低い。前記第一連結部２１５には貫通孔２１６が形成されており、好ましくは該貫通孔２１６が階段式貫通孔である。
【００３１】
前記背面板２１は、導熱係数が高いが、硬度が低く、材質が柔らかい材料で製造される。本実施例において、前記背面板２１はアルミニウム板で製造される。
【００３２】
前記前フレーム８は前板８１と前板８１の側辺に位置する第二側板８３とを含む。前記第二側板８３は第一側板２１３上に覆われる。前記第二側板８３には前記第一連結部２１５と対向しかつ内部へ窪まる第二連結部８５が形成され、前記第二側板８３には前記第二連結部８５と対向する通路８７が形成されている。前記通路８７の幅は前記第二連結部８５の幅より広く、前記通路８７の高さは前記第二連結部８５の高さより高い。前記第二連結部８５には前記貫通孔２１６と対応するネジ孔８５１が形成されている。
【００３３】
前記前フレーム８の硬度は前記背面板２１の硬度より硬い。本実施例において、前記前フレーム８はＡＢＳプラスチックで製造され、この硬度はアルミニウム板の硬度より硬い。
【００３４】
液晶表示装置を組み立てるとき、前記第二連結部８５を前記挿入空間に挿入して前記第一連結部２１５が当接するようにし、前記第一連結部２１５を前記通路８７に収納させる。ボルト１０が前記貫通孔２１６を通してネジ孔８５１内に螺接することにより、前記前フレーム８の第二側板８３を前記背面板２１の第一側板２１３上に固定、取り付けることができる。
【００３５】
前記ネジ孔８５１はＡＢＳプラスチックで製造された前フレーム８上に形成され、前記貫通孔２１６はアルミニウム板で製造された前記背面板２１上に形成されている。前フレーム８の材質の硬度は背面板２１の材質より硬い。前記ボルト１０が前記貫通孔２１６を通してネジ孔８５１内に螺接することにより、前記ネジ孔８５１と前記ボルト１０を緊密に結合させ、二者の連結強度を向上させ、ネジの潰れが発生することを防止し、前記前フレーム８と背面板２１との間の固定、取り付けの強度を向上させることができる。
【００３６】
また、前記第一連結部２１５の外側面が前記第二側板８３の外側面から突出していないことにより、液晶表示装置の見た目を確保することができる。前記第二連結部８５の内側面が前記第一側板２１３の内側面から突出していないことにより、前記バックライト２５を容易に取り付けることができる。好ましくは、前記第一連結部２１５の外側面と前記第二側板８３の外側面とを揃え、前記第二連結部８５の内側面と前記第一側板２１３の内側面とを揃える。
【００３７】
前記ボルト１０は十字穴円柱形ボルトであり、この頭部は、前記階段式貫通孔内に収納され、前記第一連結部２１５の外側面から突出していないことにより、液晶表示装置の見た目を確保することができる。ボルトの尾部が前記第二連結部８５の内側面から突出していないことにより、前記バックライト２５を容易に取り付けることができる。
【００３８】
前記ゴムフレーム４は第一側板２１３上に取り付けられる。
【００３９】
前記バックライトモジュール２は、前記底板２１１に向かう前記導光板２３の一側に設けられる底部反射フィルム２４と、前記液晶表示パネル６に向かう前記導光板２３の一側に設けられる光学フィルム組２６とを更に含む。
【００４０】
上述したとおり、本発明の液晶表示装置において、背面板の第一側板上には外部へ突出する第一連結部が設けられ、前フレームの第二側板には第一連結部と対向しかつ内部へ窪まる第二連結部が形成され、前記第一連結部は前記第二連結部内に設けられ、バルトで第一連結部と第二連結部を連結することにより、前フレームと背面板とを一体に取り付け、固定することができる。他の連結部品が増加しないので、液晶表示装置の狭額化に影響を与えない。また、前フレームの材質の硬度が背面板の材質の硬度より硬いことにより、前フレームと背面板との間の結合を丈夫、確かにすることができ、かつ構造が簡単であり、容易に実現できる利点を有している。
【００４１】
以上、本発明の好適な実施例を詳述してきたが、本発明の構成は上記の実施例に限定されるものではない。本技術分野の技術者は本発明の要旨を逸脱しない範囲内で設計の変換等を行うことができる。また、本発明の要旨を逸脱しない範囲の設計の変更等があっても本発明に含まれることは勿論である。
【図１】
2017510838.tif 000003
【図２】
2017510838.tif 000004
【図３】
2017510838.tif 000005
【図４】
2017510838.tif 000006
【図５】
2017510838.tif 000007
【図６】
2017510838.tif 000008
【国際調査報告】
2017510838.tif 000009
2017510838.tif 000010
2017510838.tif 000011
2017510838.tif 000012